(57)【要約】【課題】被アイロン対象物の上でのアイロンの滑りをよくすることで、アイロンの移動を容易に行えるようにし、作業者の労力負担を軽減できる。【解決手段】本体部２の表面が表面布３で覆われ、その表面布３上に被アイロン対象物を載せ、アイロンがけをする際に使用されるアイロンパッド１である。表面布３は、シリコン ポリメシル シロキサンの分散系溶液に基づくシリコン化合物を含む表面コーティング層４が一部に形成されている。表面コーティング層４は、その上で、アイロンをスライド移動させることで前記アイロンの底面を活性化させ、摩擦抵抗を低減させるように構成されている。【選択図】  図１
2015130988.tif 000002
【特許請求の範囲】
【請求項１】
表面布を備え、前記表面布上に載せられた被アイロン対象物をアイロンがけするのに使用されるアイロンがけ補助具であって、
前記表面布は、次の化学式のシリコン ポリメシル シロキサンの分散系溶液に基づくシリコン化合物を含む表面コーティング層が一部に形成され、
前記表面コーティング層は、その上で、アイロンをスライド移動させることで前記アイロンの底面を活性化させ、摩擦抵抗を低減させる構成とされていることを特徴とするアイロンがけ補助具。
【化１】
2015130988.tif 000005
【請求項２】
前記シリコン化合物は、元素分析で、珪素を２重量％程度含有されている請求項１記載のアイロンがけ補助具。
【請求項３】
前記表面布は、下側に可撓性を有する本体部を有し、折り畳み可能なアイロンパッドとされる請求項１または２に記載のアイロンがけ補助具。
【請求項４】
前記本体部は、アルミニウムシートが含まれる積層構造である請求項３に記載のアイロンがけ補助具。
【請求項５】
前記表面布は、綿１００％の織布である請求項１〜４のいずれか１つに記載のアイロンがけ補助具。
【発明の詳細な説明】
【技術分野】
【０００１】
本発明は、被アイロン対象物を載せる表面布を備え、アイロンがけをするのに用いる、アイロン台、アイロンパッド、アイロン台カバーなどのアイロンがけ補助具に関するものである。
【背景技術】
【０００２】
一般に、アイロンがけを行う際には、アイロン台を用い、そのアイロン台の上に、被アイロン対象物を載せ、アイロンを、被アイロン対象物をアイロン台に押し付けるように各方向に移動させながら、アイロンがけを行うのが一般的である。
【０００３】
そのようなアイロンがけの際に、被アイロン対象物の上でアイロンを滑らかに移動させることができないと、作業者の労力負担が増大する。
【０００４】
ところで、アイロンがけの作業性を高めるために、傾斜可能な本体を有するようにして、アイロンがけの際に、アイロンを移動させるのが容易になるようにようにしたアイロン台も知られている（例えば、特許文献１参照）。
【先行技術文献】
【特許文献】
【０００５】
【特許文献１】特表２００９−５０００６２号公報
【発明の概要】
【発明が解決しようとする課題】
【０００６】
しかしながら、特許文献１記載のアイロン台のように、傾斜可能な本体を有する構造とすると、構造が複雑となる。
【０００７】
本発明は、被アイロン対象物の上でのアイロンの滑りをよくすることで、アイロンの移動を容易に行えるようにし、作業者の労力負担を軽減できるアイロンがけ補助具を提供することを目的とする。
【課題を解決するための手段】
【０００８】
請求項１の発明は、表面布を備え、前記表面布上に載せられた被アイロン対象物をアイロンがけするのに使用されるアイロンがけ補助具であって、前記表面布は、次の化学式のシリコン ポリメシル シロキサンの分散系溶液に基づくシリコン化合物を含む表面コーティング層が一部に形成され、前記表面コーティング層は、その上で、アイロンをスライド移動させることで前記アイロンの底面を活性化させ、摩擦抵抗を低減させる構成とされていることを特徴とする。
【０００９】
【化２】
2015130988.tif 000003
【００１０】
このようにすれば、アイロンがけをする際に、アイロンの底面を、表面コーティング層に対し軽く押し当てるようにスライド移動させることで、前記アイロンの底面が活性化される。これにより、アイロンがけの際に、アイロンの底面の摩擦抵抗を大きく低減させることができ、被アイロン対象物の上でのアイロンの滑りがよくなり、アイロンがけをスムーズに、容易にすることができる。
【００１１】
この場合、請求項２に記載のように、前記シリコン化合物は、元素分析で、珪素を２重量％程度含有されていることが望ましい。
【００１２】
このようにすれば、アイロンがけが容易となるような、アイロンの滑りの良さを確保できる。
【００１３】
請求項３に記載のように、前記表面布は、下側に可撓性を有する本体部を有し、折り畳み可能なアイロンパッドとされることができる。
【００１４】
このようにすれば、アイロンがけをしない際には、折り畳んでおくことができ、大きなスペースを必要とせず、収納性に優れる。
【００１５】
この場合、請求項４に記載のように、前記本体部は、アルミニウムシートが含まれる積層構造であることが望ましい。
【００１６】
このようにすれば、熱効率よくアイロンがけを行うことができ、電気代の節約に有利である。
【００１７】
請求項５に記載のように、前記表面布は、綿１００％の織布であることが望ましい。
【００１８】
このようにすれば、アイロンの滑りの良さを確保して、従来のものと同様に耐熱性も確保できる。
【発明の効果】
【００１９】
本発明は、上記のように、表面布の一部にシリコン ポリメシル シロキサンの分散系溶液に基づくシリコン化合物を含む表面コーティング層を形成しているので、前記表面コーティング層上でアイロンをスライド移動させることで、アイロンの底面を活性化して摩擦抵抗を大きく低減させることができる。よって、アイロンがけの際に、使用に先だって前記表面コーティング層上でアイロンをスライド移動させることで、被アイロン対象物の上でアイロンの滑りをよくすることができる。
【図面の簡単な説明】
【００２０】
【図１】（ａ）（ｂ）（ｃ）はそれぞれ本発明に係るアイロンがけ補助具の一実施の形態であるアイロンパッドを示す説明図である。
【図２】前記アイロンパッドの本体部の一例を示す図である。
【発明を実施するための形態】
【００２１】
以下、本発明の実施の形態を図面に沿って説明する。
【００２２】
図１（ａ）（ｂ）（ｃ）はそれぞれ本発明に係るアイロンがけ補助具の一実施の形態であるアイロンパッドを示す説明図、図２は前記アイロンパッドの本体部の一例を示す図である。
【００２３】
図１（ａ）に示すように、アイロンパッド１は、可撓性を有する平面視矩形状の本体部２を有し、その表面が表面布３で覆われ、折り畳み可能に構成されている。そして、アイロンがけを行う際に、表面布３上に被アイロン対象物が載せられ、その状態でアイロンがけを行うことができる。表面布３の表面には、パッド長手方向の一方側に片寄って、次の化学式のシリコン ポリメシル シロキサンの分散系溶液（乳濁液）に基づくシリコン化合物を含む表面コーティング層４が一部に形成されている。
【００２４】
【化３】
2015130988.tif 000004
【００２５】
この表面コーティング層４は、アイロンの底面を接触させ、その上を数回スライド移動させることで、前記アイロンの底面を活性化し、前記アイロンの底面の摩擦抵抗を大きく低減させることができる構成とされている。よって、アイロンがけをする際に、アイロンがけに先だって、表面コーティング層４上でアイロンをスライド移動させることで、被アイロン対象物の上でのアイロンの滑りがよくなる。
【００２６】
直線帯状の表面コーティング層４の幅は、使用されるアイロンの幅よりも広いことが望ましい。アイロンの底面全体に亘って、摩擦抵抗の低減が図れるからである。
【００２７】
前記シリコン化合物は、元素分析（エネルギー分散型エックス線分析テスト）で、配合の一例は次の通りであることが確認されている。
【００２８】
炭素（Ｃ）        ８３．４７  wt%
酸素（Ｏ）        １１．０５
珪素（Ｓｉ）        １．９５
その他              ３．５３
つまり、シリコン化合物は、珪素を２重量％程度含有しており、この程度の珪素の配合で、被アイロン対象物上でアイロンを滑りやすくすることができる。
【００２９】
表面布３は、綿１００％の織布であるが、例えば、図２に示すように、本体部２の上側（表面側）に設けられている。この本体部２は、上側ポリウレタンフォームシート１１、アルミニウムシート１２、下側ポリウレタンフォームシート１３、およびポリエステルフェルトシート１４が順に積層されてなる積層構造で、可撓性を有するものである。なお、本体部２の積層構造は、これに制限されるものではない。また、本体部２の積層構造の積層数も制限されず、重量、可撓性などの観点から、適宜変更でき、積層順序も特に制限されない。
【００３０】
そして、アイロンパッド１を用いて，アイロンがけをする場合には、スチームアイロンの電源をオンし、アイロンがけを行うための目標温度（例えば５０℃）となるまで、スチームアイロンを温める。一方、アイロンパッド１を、机上などの、安定した作業場所に設置する。
【００３１】
それから、アイロンがけに先だって、スチームアイロンを持って、アイロンパッド１の表面コーティング層４上を複数回（例えば、三回程度）スライド移動させる。これにより、アイロンの底面が活性化され、摩擦抵抗が低減される。
【００３２】
その後、通常の場合と同様に、アイロンがけを行えばよい。このアイロンがけの際に、アイロン底面の活性化により、並外れた摩擦抵抗の低減効果が付与されるので、被アイロン対象物に対するスチームアイロンの滑りがよくなり、アイロンがけを速く、容易にすることができる。
【００３３】
アイロンの繰り返し使用により、被アイロン対象物上でのアイロンの滑りが悪くなれば、表面コーティング層４上を再度スライド移動させればよい。
【００３４】
このように、アイロンパッド１の表面に表面コーティング層４（シリコン化合物）を設けているので、アイロンの滑りが悪くなっても、表面コーティング層４上を再度スライド移動させることで、アイロンの底面を活性化させ、アイロンの滑りの良さをすぐに回復することができる。
【００３５】
前述したほか、本発明は次のように変更して実施することも可能である。
(i)アイロンがけ補助具としては、前述したアイロンパッド１のほか、アイロン台、アイロン台カバーとすることも可能であり、その形状も特に制限されない。
【００３６】
(ii)表面コーティング層４は、シリコン化合物を含むようにしているが、本発明はそれに限定されるものではなく、アイロンの底面の活性化により摩擦抵抗の低減効果を付与し、アイロンの滑りをよくすることができる表面コーティング層を表面布上に形成することができるものであれば、同様に使用することができる。
【００３７】
(ii)表面コーティング層４は、１つの、直線帯状の部分にする必要はなく、図１（ｂ）に示すように屈曲帯状の部分４Ａとすることもできるし、図１（ｃ）に示すように複数の部分４Ｂとすることもできる。また、形状としては、帯状や矩形状に限らず、円形状や、三角形状、四角形状、六角形状などの多角形状、その他の模様形状、あるいはそれらを組み合わせたものとすることも可能であり、特に制限されない。
【００３８】
(iv)スチームアイロンだけでなく、非スチームアイロンを用いても、同様の効果を発揮させることができるのはいうまでもない。
【符号の説明】
【００３９】
１    アイロンパッド
２    本体部
３    表面布
４，４Ａ，４Ｂ    表面コーティング層
１１    上側ポリウレタンフォームシート
１２    アルミニウムシート
１３    下側ポリエチレンフォームシート
１４    ポリエステルフェルトシート
【図１】
2015130988.tif 000006
【図２】
2015130988.tif 000007